(57)【要約】本願は病原体で汚染された床式排水溝を除染及び消毒するための排水溝除染機器及びその使用方法に関わる。排水溝除染機器は床の領域に対してシールを形成することが可能な保持具と、オゾンを生成することが可能な誘電性バリアー放電装置（２）と、床の領域に対してシールを形成することが可能な、保持具の先端に取り付けられた密閉手段（６）とを備える。【選択図】図１
2017501791.tif 000002
【特許請求の範囲】
【請求項１】
床の領域に対してシールを形成することが可能な保持具と、
オゾンを生成することが可能な誘電性バリアー放電装置と、
前記床の領域に対してシールを形成することが可能な、前記保持具の先端に取り付けられた密閉手段とを備え、
病原体で汚染された領域の除染及び消毒をすることが可能な排水溝除染機器。
【請求項２】
規則的に洗い流すことが必須である、排水システム及び食品処理における湿った環境で、病原体で汚染された領域の除染及び消毒をすることができる請求項１記載の排水溝除染機器。
【請求項３】
前記保持具は、地面に設置されるとき、下部に開口する空洞を形成する、請求項１又は２に記載の排水溝除染機器。
【請求項４】
前記保持具は、地面に設置されるとき、実質的に凹状形状の形状で、下部に開口する空洞を形成する、請求項１〜３のいずれか一項に記載の排水溝除染機器。
【請求項５】
強い衝撃、オゾンに耐性を有する任意の適切なプラスチックで形成されている、請求項１〜４のいずれか一項に記載の排水溝除染機器。
【請求項６】
前記誘電性バリアー放電装置の表面は、不浸透性及び疎水性を有し、一般的な洗浄用の化学薬品の全てに対して耐性を有する、請求項１〜５のいずれか一項に記載の排水溝除染機器。
【請求項７】
前記排水溝除染機器の上部領域に、前記誘電性バリアー放電装置が配置されている、請求項１〜６のいずれか一項に記載の排水溝除染機器。
【請求項８】
前記誘電性バリアー放電装置は大気中の空気からオゾンを生成することができる、請求項１〜７のいずれか一項に記載の排水溝除染機器。
【請求項９】
前記誘電性バリアー放電装置は、前記オゾンの投与率と投与のタイミングとを制御する、統合バッテリー駆動高電圧システムにより駆動する、請求項１〜８のいずれか一項に記載の排水溝除染機器。
【請求項１０】
システム全体が完全にカプセル化され、随意的に、保護等級アイピーエックス８又はアイピー６９ケイのレベルで密閉され、一般的な洗浄用の化学薬品で水圧洗浄が可能である、請求項１〜９のいずれか一項に記載の排水溝除染機器。
【請求項１１】
前記統合バッテリー駆動高電圧システムは、任意の外部の金属接続を避けるために、誘電統合充電システムを用いて充電することができる、請求項１〜１０のいずれか一項に記載の排水溝除染機器。
【請求項１２】
上面に装着されたハンドルを備える、請求項１〜１１のいずれか一項に記載の排水溝除染機器。
【請求項１３】
前記密閉手段は弾性マルチリップシールシステムである、請求項１〜１２のいずれか一項に記載の排水溝除染機器。
【請求項１４】
前記密閉手段は耐オゾン性ポリマーで形成される、請求項１〜１３のいずれか一項に記載の排水溝除染機器。
【請求項１５】
前記密閉手段は処理する領域の周囲の前記床に対してシールを形成することができる、請求項１〜１４のいずれか一項に記載の排水溝除染機器。
【請求項１６】
前記排水溝除染機器の安定性を増加するために、プラスチック製のハウジング内の下側に成型することができる、追加的な重りを更に備える、請求項１〜１５のいずれか一項に記載の排水溝除染機器。
【請求項１７】
前記排水溝又は床に装着された取付具を用いて前記床に機械的に取り付けられ又は固定されている、請求項１〜１６のいずれか一項に記載の排水溝除染機器。
【請求項１８】
特に前記除染機器を取り付けられるようになされた排水溝カバーが設けられている、請求項１〜１７のいずれか一項に記載の排水溝除染機器。
【請求項１９】
床の領域に対してシールを形成することが可能な保持具と、
オゾンを生成することが可能な誘電性バリアー放電装置と、
前記床の領域に対してシールを形成することが可能な、前記保持具の先端に取り付けられた密閉手段とを備え、
病原体で汚染された領域の除染及び消毒をすることが可能な排水溝除染機器を用いて病原体で汚染された領域の除染及び消毒を行う方法。
【請求項２０】
使用中の状態において、前記排水溝除染機器は排水格子を覆って固定されている、請求項１９に記載の、排水溝除染機器を用いて病原体で汚染された領域の除染及び消毒を行う方法。
【請求項２１】
前記排水溝除染機器は手動で起動することができ、設定された時間に亘って、電極系からのオゾンの定量投与を発生させる、請求項１９又は２０に記載の、排水溝除染機器を用いて病原体で汚染された領域の除染及び消毒を行う方法。
【請求項２２】
オゾンの放出はパルス状のパターンに従い、全処理時間に亘って、高オゾン濃度を保つようにされている、請求項２０又は２１に記載の、排水溝除染機器を用いて病原体で汚染された領域の除染及び消毒を行う方法。
【請求項２３】
前記排水溝除染機器は例えば、ブルートゥース（登録商標）又は他のいくつかの関連するワイヤレス機構を介してプログラム制御可能な、請求項１９〜２２のいずれか一項に記載の、排水溝除染機器を用いて病原体で汚染された領域の除染及び消毒を行う方法。
【請求項２４】
前記排水溝除染機器は、前記排水溝除染機器の下にオゾンがあるとき、及び前記機器が安全に取り外しできるときに表示することができる照明システムを備える、請求項１９〜２３のいずれか一項に記載の、排水溝除染機器を用いて病原体で汚染された領域の除染及び消毒を行う方法。
【請求項２５】
図１〜３に示すような、及び又は、上述したような排水溝除染機器。
【発明の詳細な説明】
【技術分野】
【０００１】
本発明は除染及び消毒のための機器及び方法に関し、特に、排水システムのような、病原体で汚染されている領域の除染及び消毒のための機器及び方法に関する。
【背景技術】
【０００２】
排水溝及び排水ポットの除染は重要な問題であり、特に、食品産業で重要である。排水管及び排水格子の表面に蓄積するバイオフィルムにより、特に恒常的に湿った環境において、洗浄の後に上方の空間を再汚染する可能性のある病原体が滞留することがある。
【発明の概要】
【発明が解決しようとする課題】
【０００３】
多くのバイオフィルムは、塩素を主成分とする一般的な液体の漂白剤に対して高い耐性を有する。密閉された排水溝の表面を液体の消毒剤でむらなくコーティングすることの困難性により、この問題に悪影響が及んでいる。気体オゾンはバイオフィルムを除去するときに非常に効果的なものとみられており、また、その気体であるという性質により、方向に関わらず全表面を均一に処理するのに極めてふさわしい。オゾンは有機材料の存在下で急速に崩壊して酸素に戻り、長寿命の化学活性種を放出せず、殺菌効力のある化学薬品を排水溝の中に落とし込むことに関連する汚染リスクを少しでも低減する。また、オゾンは、空気よりも約１．５倍の比重を有するため、処理の終了時に残る余剰なオゾンは、自然に分解するまで排水ポット中に残留する。
【０００４】
それゆえに、排水システムの洗浄に関する先行技術のシステムが知られているのにもかかわらず、これら先行技術のシステムは全て関連する問題を抱えている。
【０００５】
上述した問題のうち少なくとも１つを未然に防止するか又は緩和することが、本発明の少なくとも１つの態様の目的である。
【０００６】
排水システムのような、病原体で汚染された領域の除染及び消毒のための、改良された方法及び機器を提供することが、本発明の少なくとも１つの態様の更なる目的である。
【課題を解決するための手段】
【０００７】
本発明の第１の態様によると、床の領域に対してシールを形成することが可能な保持具と、オゾンを生成することが可能な誘電性バリアー放電装置と、前記床の領域に対してシールを形成することが可能な、前記保持具の先端に取り付けられた密閉手段とを備え、病原体で汚染された領域の除染及び消毒をすることが可能な排水溝除染機器が提供される。
【０００８】
概して、本発明の目的は、それゆえに、排水システムのような、病原体で汚染された領域の除染及び消毒のための機器及び方法を提供することである。
【０００９】
代替的に、前記排水溝除染機器は、底に液体を有する排水溝又は排水管が存在し、任意の形状のバイオフィルムを取り除くために使用することができる。
【００１０】
前記保持具は、実質的に凹状形状（すなわち、逆ボール型）のような形状で、下部に開口する空洞を形成することができる。しかしながら、前記機器が除染を提供できるように空洞を設けるものであれば、任意の適切な形状もまた本発明の範囲内である。
【００１１】
前記排水溝除染機器は強い衝撃やオゾンに耐性を有するプラスチックのような任意の適切な材料で形成することができる。
【００１２】
前記排水溝は、鉛直な、又は実質的に鉛直な管状の任意の形状とすることができる。
【００１３】
前記排水溝除染機器の上部領域に、随意的に、平坦又は実質的に平坦とすることができる前記誘電性バリアー放電装置を配置することができる。前記誘電性バリアー放電装置は大気中の空気からオゾンを生成することができる。
【００１４】
前記誘電性バリアー放電装置はオゾンの投与率と投与のタイミングとを制御する、統合バッテリー駆動高電圧システムにより駆動することができる。
【００１５】
前記誘電性バリアー放電装置並びにその高電圧駆動システム及びバッテリーは、完全にカプセル化され、随意的に、保護等級アイピーエックス８又はアイピー６９ケイのレベルで密閉され、一般的な洗浄用の化学薬品で水圧洗浄が可能である。前記バリアー放電装置の表面は不浸透性及び疎水性を有し、洗浄用の化学薬品に対して耐性を有するようにすることができる。前記誘電性バリアー放電装置は、湿った条件で操作したときであっても、電気的に安全になるように形成される。
【００１６】
前記統合バッテリー駆動高電圧システムは、任意の外部の金属接続を避けるために、誘電統合充電システムを用いて充電することができる。
【００１７】
前記排水溝除染機器はまた上面に装着されたハンドルを備えることができる。
【００１８】
前記密閉手段は弾性マルチリップシールシステムとすることができる。
【００１９】
前記密閉手段は“Ｖｉｔｏｎ”（登録商標）又は“Ｓａｎｔｏｐｒｅｎｅ”（登録商標）のような耐オゾン性ポリマーで形成することができる。
【００２０】
前記密閉手段は処理する領域の周囲の前記床を密閉することができる。前記排水溝除染機器の質量による重力によって前記密閉を保つことができる。随意的に、前記機器は、前記排水溝又は処理する前記排水溝の周囲の床に前記機器を機械的に取り付けるためのシステムを有することができる。
【００２１】
前記排水溝除染機器は、また、プラスチック製のハウジング内の下側に成型し得る、前記排水溝除染機器の安定性を増加する、追加的な重りを備えることができる。
【００２２】
使用中の状態において、前記排水溝除染機器は排水口を覆って固定することができる。前記排水溝除染機器は、手動で起動することができ、設定された時間に亘って、電極系からのオゾンの定量投与を発生させることができる。オゾンの放出はパルス状のパターンに従い、全処理時間に亘って、高オゾン濃度を保つようにすることができる。前記排水溝除染機器は、例えば、ブルートゥース（登録商標）又は他のいくつかの関連するワイヤレス機構を介してプログラム制御可能なようにすることができる。
【００２３】
前記排水溝除染機器は、また、前記排水溝除染機器の下にオゾンがあるときに表示することができる赤ランプや、安全に取り外しできるときに表示する緑ランプのような照明システムを備えることができる。
【００２４】
本発明の第２の態様によると、床の領域に対してシールを形成することが可能な保持具と、オゾンを生成することが可能な誘電性バリアー放電装置と、前記床の領域に対してシールを形成することが可能な、前記保持具の先端に取り付けられた密閉手段とを備え、病原体で汚染された領域の除染及び消毒をすることが可能な排水溝除染機器を用いて前記病原体で汚染された領域の除染及び消毒を行う方法が提供される。
【００２５】
前記排水溝除染機器は前記第１の態様に規定されるように構成することができる。
【図面の簡単な説明】
【００２６】
【図１】本発明の実施形態に係る排水溝染機器の説明図である。
【図２】図１に示す排水溝除染機器がユーザーにより運ばれている状態を示す説明図である。
【図３】図１及び図２に示す排水溝除染機器の使用中の状態を示す断面図である。
【００２７】
以下、添付図面を参照して本発明の実施形態を詳述する。
【発明を実施するための形態】
【００２８】
概して、本発明の目的は、排水システムのような、病原体で汚染された領域の除染及び消毒のための機器及び方法を提供することである。
【００２９】
図１は、本発明に従って概略的にデザインされた排水溝除染機器１を示す説明図である。本願で説明する排水溝除染機器は、産業環境、特に、規則的に洗い流すことが必須である、食品処理における湿った環境で床置きされた排水溝の消毒の問題に特に向けられるものである。
【００３０】
図１に示すように、排水溝除染機器１は実質的に凹状形状（すなわち、逆ボール型）を有する。しかしながら、機器１が除染を提供できるように空洞を設けるものであれば、任意の適切な形状もまた本発明の範囲内である。排水溝除染機器１は、強い衝撃、オゾンに耐性を有するプラスチックのような任意の適切な材料で形成されている。排水溝除染機器１の表面は、不浸透性及び疎水性を有する。
【００３１】
排水溝除染機器１の上部領域に、誘電性バリアー放電装置２が配置されている。誘電性バリアー放電装置２は、図１に示すように、平坦又は実質的に平坦なものとすることができる。誘電性バリアー放電装置２は大気中の空気からオゾンを生成することができる。
【００３２】
誘電性バリアー放電装置２は、オゾンの投与率と投与のタイミングとを制御する統合バッテリー駆動高電圧システム３により駆動する。誘電性バリアー放電装置２は、完全にカプセル化され、随意的に、保護等級アイピーエックス８（ＩＰＸ８）又はアイピー６９ケイ（ＩＰ６９Ｋ）のレベルで密閉され、一般的な洗浄用の化学薬品で水圧洗浄が可能である。統合バッテリー駆動高電圧システム３は、任意の外部の金属接続を避けるために、誘電統合充電システム４を用いて、充電することができる。
【００３３】
図１に示すように、排水溝除染機器１は、また、上面に装着されたハンドル５と弾性マルチリップシールシステム６とを備える。弾性マルチリップシールシステム６は、バイトン（登録商標）又はサントプレーン（登録商標）のような耐オゾン性ポリマーで形成される。弾性マルチリップシールシステム６は、処理する領域の周囲の床を密閉することができる。排水溝除染機器１の質量による重力によって、密閉が保たれる。随意的に、追加的な重り７をプラスチック製のハウジング内の下側に成型して、排水溝除染機器１の安定性を増加し、誤って排水溝から外れるリスクを低減することができる。
【００３４】
図２は、ハンドル５を用いてユーザーによって運ばれている状態の排水溝除染機器１を示す。
【００３５】
図３は使用中の状態の排水溝除染機器１を示す。排水溝除染機器１は排水口９を覆って固定されている。排水溝除染機器１は手動で起動することができ、設定された時間に亘って、電極系からのオゾンの定量投与を発生させる。オゾンの放出はパルス状のパターンに従い、全処理時間に亘って、高オゾン濃度を保つようにすることができる。オゾン量は、処理される排水システムの体積に合わせている。排水溝除染機器１は、例えば、ブルートゥース（登録商標）又は他のいくつかの関連するワイヤレス機構を介してプログラム制御可能なようにすることができる。
【００３６】
オゾンは空気よりも比重が大きいため、オゾン１０は排水システム１１の中に沈み、バイオフィルム１２内に拡散し、バイオフィルム１２の構造的完全性を損傷し、フィルム内の任意の病原体を破壊する。また、オゾンは排水トラップ１３内の流体に溶解する。
【００３７】
排水溝除染機器１は、排水溝除染機器１の下にオゾンがあるときに表示することができる赤色ランプや、安全に取り外しできるときに表示する緑色ランプのような照明システムを備えることができる。動作中に取り外すことにより、僅かな隙間が生じるが、有害な量のオゾンが大気中に放出されることはなく、発生器は自動に停止する。排水溝除染機器１は通常の洗浄手順の一部として規則的に使用される。
【００３８】
これまで本発明の特定の実施形態を説明したが、言うまでもなく、上述した実施形態の変更は本発明の技術的範囲に含まれる。例えば、除染を提供するために使用され得るよう、排水溝除染機器の寸法は任意に適切に設定することができる。また、排水溝除染機器は家庭で用いられるよう、家庭用のコンパクトな構成とすることもできる。
【符号の説明】
【００３９】
１  排水溝除染機器
２  誘電性バリアー放電装置
３  統合バッテリー駆動高電圧システム
４  誘電統合充電システム
５  ハンドル
６  弾性マルチリップシールシステム
７  重り
９  排水口
１０  オゾン
１１  排水システム
１２  バイオフィルム
１３  排水トラップ
【図１】
2017501791.tif 000003
【図２】
2017501791.tif 000004
【図３】
2017501791.tif 000005
【国際調査報告】
2017501791.tif 000006
2017501791.tif 000007
2017501791.tif 000008
2017501791.tif 000009